(57)【要約】      （修正有）【課題】点検作業時のミスを低減する設備点検支援プログラム、設備点検支援方法及び設備点検支援システムを提供する。【解決手段】設備点検支援プログラムは、点検対象設備に紐付けられた点検項目をサーバー装置が利用するデータベースから読み出して作業手順の指示と点検結果の入力欄とを少なくとも含む作業画面を生成する画面生成処理（Ｓ１３）と、入力欄への入力結果を受信して、データベースに保存する点検結果受信処理（Ｓ１６，Ｓ１７）と、点検作業を終了する際に、点検対象設備を構成する機器毎に設定された終了作業が完了したことを示す完了報告画像が、予め設定された順序で全て入力されたことに応じて、点検作業が終了したことを記録する作業完了判断処理（Ｓ２３〜Ｓ２６）と、を行い、作業完了判断処理中に、入力欄への入力処理が発生した場合には完了報告画像の入力を予め設定された順序の最初から作業者に再度入力させる（Ｓ２４）。【選択図】図７
2020095493.tif 000002
【特許請求の範囲】
【請求項１】
通信インタフェースを有するサーバー装置で実行され、設備点検を行う作業者に、作業手順の指示と点検結果の入力欄とを含む作業画面を前記作業者が有する作業端末に提示して、点検結果を保存する設備点検支援プログラムであって、
点検対象設備に紐付けられた点検項目を前記サーバー装置が利用するデータベースから読み出して前記作業手順の指示と前記点検結果の入力欄とを少なくとも含む作業画面を生成する画面生成処理と、
前記入力欄への入力結果を受信して、前記データベースに保存する点検結果受信処理と、
前記点検対象設備に対する点検作業を終了する際に、前記点検対象設備を構成する機器毎に設定された終了作業が完了したことを示す完了報告画像が、予め設定された順序で全て入力されたことに応じて、点検作業が終了したことを記録する作業完了判断処理と、を行い、
前記作業完了判断処理中に、前記入力欄への入力処理が発生した場合には前記完了報告画像の入力を前記予め設定された順序の最初から前記作業者に再度入力させる設備点検支援プログラム。
【請求項２】
前記データベースには、前記点検対象設備の利用実績を示す利用実績情報が別途格納され、前記利用実績情報を用いた設備利用統計情報を生成する設備利用統計算出処理を行う請求項１に記載の設備点検支援プログラム。
【請求項３】
前記設備利用統計算出処理では、前記利用実績情報を前記データベースに登録する利用者毎の前記利用実績情報の蓄積量の増加に応じて、前記利用者に提示する前記設備利用統計情報に含まれる情報の範囲を拡大させる請求項２に記載の設備点検支援プログラム。
【請求項４】
前記点検対象設備毎に前記点検対象設備に対応した前記作業画面のアクセス先を示すＱＲコードを生成するＱＲコード生成処理を行う請求項１乃至３のいずれか１項に記載の設備点検支援プログラム。
【請求項５】
設備点検を行う作業者が有する作業端末に、作業手順の指示と点検結果の入力欄とを含む作業画面を提示して、前記作業端末を介して点検結果をサーバー装置に保存する設備点検支援システムにおける点検支援方法であって、
点検対象設備に紐付けられた点検項目をデータベースから読み出して前記作業手順の指示と前記点検結果の入力欄とを少なくとも含む作業画面を生成し、
前記入力欄への入力結果を前記サーバー装置で受信して、前記データベースに保存し、
前記点検対象設備に対する点検作業を終了する際に、前記点検対象設備を構成する機器毎に設定された終了作業が完了したことを示す完了報告画像が、予め設定された順序で全て入力されたことに応じて、点検作業が終了したことを記録する作業完了判断処理を行い、
前記作業完了判断処理中に、前記入力欄への入力処理が発生した場合には前記完了報告画像の入力を前記予め設定された順序の最初から前記作業者に再度入力させる設備点検支援方法。
【請求項６】
作業手順の指示と点検結果の入力欄とを含む作業画面の生成及び前記点検結果の保存とを行うサーバー装置と、作業者に対して前記作業画面を表示する作業端末と、を有する設備点検支援システムであって、
前記サーバー装置において、点検対象設備に紐付けられた点検項目を前記サーバー装置が利用するデータベースから読み出して前記作業手順の指示と前記点検結果の入力欄とを少なくとも含む作業画面を生成する画面生成処理と、
前記作業端末から前記入力欄への入力結果を受信して、前記データベースに保存する点検結果受信処理と、
前記点検対象設備に対する点検作業を終了する際に、前記点検対象設備を構成する機器毎に設定された終了作業が完了したことを示す完了報告画像が、予め設定された順序で全て入力されたことに応じて、点検作業が終了したことを記録する作業完了判断処理と、を行い、
前記作業完了判断処理中に、前記入力欄への入力処理が発生した場合には前記完了報告画像の入力を前記予め設定された順序の最初から前記作業者に再度入力させる設備点検支援システム。
【発明の詳細な説明】
【技術分野】
【０００１】
本発明は設備点検支援プログラム、設備点検支援方法及び設備点検支援システムに関し、例えば、太陽光発電設備のように所定の点検が義務付けられている設備の点検を行う作業員の作業を支援する設備点検支援プログラム、設備点検支援方法及び設備点検支援システムに関する。
【背景技術】
【０００２】
近年、太陽光発電設備の設置及び利用が拡大している。これら太陽光発電設備では、発電効率の高さを維持することが求められる。そこで、特許文献１に他の発電設備と自発電設備との発電情報を比較することで、自発電設備の評価を行う技術が開示されている。
【０００３】
例えば、特許文献１に記載の監視サーバーは、太陽光発電の監視を行う監視サーバーであって、複数の太陽電池モジュールを有する複数の発電設備を個別に識別する発電設備識別情報が、該発電設備が設置された地域を識別する地域識別情報と関連付けされて記憶される記憶装置と、一の発電設備である対象発電設備の発電情報を取得する対象情報取得手段と、前記対象発電設備の発電設備識別情報に関連付けされた地域識別情報によって識別された地域と同一地域に設置された他の発電設備である比較発電設備の発電情報を取得する比較情報取得手段と、前記対象情報取得手段によって取得された上記対象発電設備の発電情報である対象情報と、前記比較情報取得手段によって取得された上記比較発電設備の発電情報である比較情報とに基づいて、該対象発電設備の発電状態を評価する評価手段とを備える。
【先行技術文献】
【特許文献】
【０００４】
【特許文献１】特開２０１８−１０１２９０号公報
【発明の概要】
【発明が解決しようとする課題】
【０００５】
しかしながら、太陽光発電設備のうち所定の発電能力以上の設備に対しては、法廷で定められた点検を定期的に実施することが求められる。この点検は、作業員によって行われるが、作業員のミスにより設備が正常に動作せず発電効率が低下する問題がある。特許文献１では、発電効率が低下した後に設備の再点検を行うことで設備異常を発見できるが、点検作業のミスを低減することができない問題がある。
【０００６】
本発明は、上記事情に鑑みてなされたものであり、設備点検時の作業ミスを低減することを目的とするものである。
【課題を解決するための手段】
【０００７】
本発明にかかる設備点検支援プログラムの一態様は、通信インタフェースを有するサーバー装置で実行され、設備点検を行う作業者に、作業手順の指示と点検結果の入力欄とを含む作業画面を前記作業者が有する作業端末に提示して、点検結果を保存する設備点検支援プログラムであって、点検対象設備に紐付けられた点検項目を前記サーバー装置が利用するデータベースから読み出して前記作業手順の指示と前記点検結果の入力欄とを少なくとも含む作業画面を生成する画面生成処理と、前記入力欄への入力結果を受信して、前記データベースに保存する点検結果受信処理と、前記点検対象設備に対する点検作業を終了する際に、前記点検対象設備を構成する機器毎に設定された終了作業が完了したことを示す完了報告画像が、予め設定された順序で全て入力されたことに応じて、点検作業が終了したことを記録する作業完了判断処理と、を行い、前記作業完了判断処理中に、前記入力欄への入力処理が発生した場合には前記完了報告画像の入力を前記予め設定された順序の最初から前記作業者に再度入力させる。
【０００８】
本発明にかかる設備点検支援方法の一態様は、設備点検を行う作業者が有する作業端末に、作業手順の指示と点検結果の入力欄とを含む作業画面を提示して、前記作業端末を介して点検結果をサーバー装置に保存する設備点検支援システムにおける点検支援方法であって、点検対象装置に紐付けられた点検項目をデータベースから読み出して前記作業手順の指示と前記点検結果の入力欄とを少なくとも含む作業画面を生成し、前記入力欄への入力結果を前記サーバー装置で受信して、前記データベースに保存し前記点検対象設備に対する点検作業を終了する際に、前記点検対象設備を構成する機器毎に設定された終了作業が完了したことを示す完了報告画像が、予め設定された順序で全て入力されたことに応じて、点検作業が終了したことを記録する作業完了判断処理を行い、前記作業完了判断処理中に、前記入力欄への入力処理が発生した場合には前記完了報告画像の入力を前記予め設定された順序の最初から前記作業者に再度入力させる。
【０００９】
本発明にかかる設備点検支援システムの一態様は、作業手順の指示と点検結果の入力欄とを含む作業画面の生成及び前記点検結果の保存とを行うサーバー装置と、作業者に対して前記作業画面を表示する作業端末と、を有する設備点検支援システムであって、前記サーバー装置において、点検対象設備に紐付けられた点検項目を前記サーバー装置が利用するデータベースから読み出して前記作業手順の指示と前記点検結果の入力欄とを少なくとも含む作業画面を生成する画面生成処理と、前記作業端末から前記入力欄への入力結果を受信して、前記データベースに保存する点検結果受信処理と、前記点検対象設備に対する点検作業を終了する際に、前記点検対象設備を構成する機器毎に設定された終了作業が完了したことを示す完了報告画像が、予め設定された順序で全て入力されたことに応じて、点検作業が終了したことを記録する作業完了判断処理と、を行い、前記作業完了判断処理中に、前記入力欄への入力処理が発生した場合には前記完了報告画像の入力を前記予め設定された順序の最初から前記作業者に再度入力させる。
【発明の効果】
【００１０】
本発明にかかる設備点検支援プログラム、設備点検支援方法及び設備点検支援システムによれば、設備点検時の作業員のミスを低減することができる。
【図面の簡単な説明】
【００１１】
【図１】実施の形態１にかかる設備点検支援システムのブロック図である。
【図２】実施の形態１にかかる設備点検支援システムの利用者の関係を説明する図である。
【図３】実施の形態１にかかる保守点検工程管理サーバーのブロック図である。
【図４】実施の形態１にかかる設備点検支援システムにおける設備登録時の入力項目の例を説明する表である。
【図５】実施の形態１にかかる設備点検支援システムにおける設備構成登録時の入力項目の例を説明する入力画面例を示す図である。
【図６】実施の形態１にかかる設備点検支援システムにおける設備登録時の機器毎の入力項目の例を説明する表である。
【図７】実施の形態１にかかる設備点検支援システムを用いた作業手順を説明するフローチャートである。
【図８】実施の形態１にかかる設備点検支援システムを用いた点検作業時にアクセスする作業画面のうち点検作業者用トップ画面の一例を説明する図である。
【図９】実施の形態１にかかる設備点検支援システムを用いた点検作業時にアクセスする作業画面のうち設備の点検項目及び入力欄を含む設備点検入力画面の一例を説明する図である。
【図１０】実施の形態１にかかる設備点検支援システムを用いた点検作業の終了時にアクセスする点検作業終了入力画面の一例を説明する図である。
【図１１】実施の形態２にかかる保守点検工程管理サーバーのブロック図である。
【図１２】実施の形態３にかかる保守点検工程管理サーバーのブロック図である。
【発明を実施するための形態】
【００１２】
説明の明確化のため、以下の記載及び図面は、適宜、省略、及び簡略化がなされている。また、様々な処理を行う機能ブロックとして図面に記載される各要素は、ハードウェア的には、ＣＰＵ（Central Processing Unit）、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。なお、各図面において、同一の要素には同一の符号が付されており、必要に応じて重複説明は省略されている。
【００１３】
また、上述したプログラムは、様々なタイプの非一時的なコンピュータ可読媒体を用いて格納され、コンピュータに供給することができる。非一時的なコンピュータ可読媒体は、様々なタイプの実体のある記録媒体を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００１４】
実施の形態１
以下の説明では、太陽光発電設備を管理対象の設備の一例として説明するが、本実施の形態で説明する設備点検支援システムの適用範囲は太陽光発電設備に限られない。図１に実施の形態１にかかる設備点検支援システム１のブロック図を示す。図１に示すように、実施の形態１にかかる設備点検支援システム１は、サーバー装置（例えば、保守点検工程管理サーバー１０）と作業者端末（例えば、保守管理端末１３）とを含む。また、図１に示す例では、設備点検を実施する点検作業者が利用する保守管理端末１３以外の端末として、保守管理端末１１、１２、１４を示した。
【００１５】
保守管理端末１１は、保守点検工程管理サーバー１０を管理するための端末であり、システム管理者が利用する端末である。保守管理端末１２は、設備点検支援システム１の主な利用者である点検業者が利用する端末である。保守管理端末１４は、設備点検支援システム１の機能の一部を利用する一般ユーザーが利用する端末である。保守管理端末１１、１２、１３は、例えば、ホームページ閲覧機能を有するＰＣ（Personal Computer）である。一方、保守管理端末１３は、作業者が点検結果を入力する端末であり、カメラ等の画像撮影機能と、ホームページ閲覧機能と、を有するタブレット、スマートフォン等の携帯端末である。
【００１６】
図１に示すように、実施の形態１にかかる設備点検支援システム１は、保守点検工程管理サーバー１０と、保守管理端末１１〜１４が公衆回線で通信可能なように接続されている。保守点検工程管理サーバー１０は、例えば、コンピュータのようなプログラムを実行可能なハードウェアであり、この保守点検工程管理サーバー１０上で設備点検支援プログラムが実行される。そして、保守点検工程管理サーバー１０に保守管理端末１１〜１４がアクセスを行うことで設備点検支援プログラムの機能を利用者が利用する。また、保守点検工程管理サーバー１０は、保守点検工程管理サーバー１０内、又は、保守点検工程管理サーバー１０とは別に設けられるハードディスク等の記憶装置に構築されたデータベースを用いて、当該データベース上の情報を参照して各種処理を実行する。
【００１７】
続いて、実施の形態１にかかる設備点検支援システム１を利用する利用者の関係を図２を参照して説明する。図２は、実施の形態１にかかる設備点検支援システムの利用者の関係を説明する図である。
【００１８】
図２に示すように、実施の形態１にかかる設備点検支援システム１の利用者は、システム管理者、点検業者、点検作業者、契約者、一般ユーザーである。システム管理者は、設備点検支援システム１を管理する管理者であり、点検業者からの依頼を受けて点検業者に設備点検支援システム１を利用するためのアカウントを発行する。このアカウントの発行処理がシステムへの登録である。
【００１９】
点検業者は、設備点検支援システム１の主な利用者である。点検業者は、設備点検支援システム１を用いた設備管理を行う会社、又は、個人である。点検業者は、設備の所有者から点検業務を請け負う者であり、点検対象設備に関する情報を設備点検支援システム１を用いて管理する。また、点検業者は、自身が指定する点検作業者をシステムに登録して、点検作業者が実施する点検作業を設備点検支援システム１を用いて管理する。なお、点検作業者は、点検作業を行う個人である。また、点検業者は、システム上の呼称であり、点検業者が施設の所有者であっても構わない。
【００２０】
また、点検業者は、自身と設備点検契約を締結した契約者をシステムに登録する事ができる。契約者は、点検業者が発行するアカウントを用いて設備点検支援システム１にアクセスすることで設備点検契約を行った設備に関する情報を参照することができる。なお、契約者が、システム上の呼称であり、契約者と点検業者とが同一の会社、又は、個人であても構わない。
【００２１】
一般ユーザーは、設備点検支援システム１の設備の書類管理機能を利用するユーザーであり設備点検に関する機能を利用しないユーザーである。詳しくは、実施の形態２で説明するが、この一般ユーザーは、自身が管理する太陽光発電施設の発電量の管理及び他者の管理する太陽光発電施設との発電量比較等の機能を利用することもできる。なお、一般ユーザーは、設備点検支援システム１上に設けられたアカウント登録画面を用いて、設備点検支援システム１を利用するためのアカウントを取得する。
【００２２】
続いて、実施の形態１にかかる設備点検支援システム１で用いられる保守点検工程管理サーバー１０の構成について説明する。図３に実施の形態１にかかる保守点検工程管理サーバー１０のブロック図を示す。上述したように、保守点検工程管理サーバー１０では、設備点検支援プログラムが実行される。図３では、当該設備点検支援プログラムにより実現される機能を機能ブロックとして示した。
【００２３】
図３に示すように、実施の形態１にかかる設備点検支援システム１は、ユーザーインタフェース画面送受信部２０、ユーザーインタフェース画面生成部２１、入力受付部２２、利用者管理部２３、契約者設備登録処理部２４、点検情報登録部２５を有する。また、実施の形態１にかかる設備点検支援システム１は、データベースとして、ユーザーインタフェース画面データベース３０、事業者データベース３１、システム管理者データベース３２、点検業者情報データベース３３、契約者情報データベース３４、契約書類情報データベース３５、作業者情報データベース３６ａ、一般ユーザーデータベース３６ｂ、設備情報データベース３７、設備契約データベース３８、点検情報データベース３９を有する。なお、設備点検支援システム１内の各種データベースは、１つの記憶装置内に構築されていても良いし、それぞれが別の記憶装置に構築されていても構わない。
【００２４】
ユーザーインタフェース画面送受信部２０は、設備点検支援システム１内で生成されたユーザーインタフェース画面の送信と、ユーザーインタフェース画面を介して利用者が設備点検支援システム１に対して要求する処理要求を受信する。また、ユーザーインタフェース画面送受信部２０は、公衆回線を介して保守管理端末１１等と通信を行う通信インタフェースである。
【００２５】
ユーザーインタフェース画面生成部２１は、利用者管理部２３からの指示に基づきユーザー毎に設定されたユーザーインタフェース画面を生成する。また、ユーザーインタフェース画面生成部２１は、入力受付部２２によりユーザーインタフェース画面中から選択された何らかの処理要求が受信された場合、当該処理要求に応じたユーザーインタフェース画面を生成する。ユーザーインタフェース画面生成部２１は、ユーザーインタフェース画面を生成する際にユーザーインタフェース画面データベース３０に格納されているユーザーインタフェース画面候補からその時に表示すべき画面データを選択し、選択した画面データに設備情報データベース３７、設備契約データベース３８、点検情報データベース３９に格納されているデータを組み合わせてユーザーインタフェース画面を生成する。そして、ユーザーインタフェース画面生成部２１は、生成した画面データをユーザーインタフェース画面送受信部２０を介して保守管理端末１１等に出力する。
【００２６】
入力受付部２２は、ユーザーインタフェース画面送受信部２０を介して保守管理端末１１等の画面上に表示されたユーザーインタフェース画面により利用者が指示した処理要求を受信して、処理要求の内容に応じてユーザーインタフェース画面生成部２１、利用者管理部２３、契約者設備登録処理部２４、点検情報登録部２５に処理の要求を出力する。
【００２７】
利用者管理部２３は、利用者の登録処理と、登録された利用者に関する情報の管理を行う。利用者管理部２３は、当該利用者の登録処理時に登録対象の利用者の属性に合わせて利用者をシステム管理者データベース３２、点検業者情報データベース３３、契約者情報データベース３４、作業者情報データベース３６ａ、一般ユーザーデータベース３６ｂのいずれかに登録する。なお、データベースに登録する利用者の情報の範囲は、システム構成に応じて適宜変更することができるが、少なくとも、ログインＩＤ、氏名、操作が許容される権限の範囲が含まれる事が好ましい。
【００２８】
また、利用者管理部２３は、点検業者が契約者との間で交わした契約書類情報を契約書類情報データベース３５に格納し、点検業者が施設管理と共に契約者管理を行うことを可能とする。
【００２９】
また、利用者管理部２３は、事業者データベース３１に登録された事業者情報に基づき、契約者について事業者情報から既知となっている情報を自動入力する機能を有する。太陽光発電設備は、例えば、経済産業局が管轄しており、設置する場合に経済産業局が所定の認可をする。そして、この認可情報が一般に公開されているため、システム管理者がこの公開された事業者情報を事業者データベース３１に登録する。
【００３０】
契約者設備登録処理部２４は、入力受付部２２から与えられる処理要求に基づき、契約者から点検依頼を受けている点検対象設備に関する情報を設備情報データベース３７及び設備契約データベース３８に登録する。設備情報データベース３７には、点検対象設備を構成する機器の情報、設備内の機器の接続状態を示す情報等が格納される。設備情報データベース３７に格納される設備情報は、契約者ＩＤにより契約者情報データベース３４に登録されている契約者に紐付けられている。設備契約データベース３８には、点検対象設備についての経済産業局の認可情報、設備を利用中であるか否か等の設備の状態を示す情報等が格納される。
【００３１】
点検情報登録部２５は、入力受付部２２から与えられる処理要求に基づき、作業者が行った点検の結果を示す点検結果情報を点検情報データベース３９に登録する。また、点検情報登録部２５は、後述する点検終了作業時に点検終了作業入力画面に表示される入力項目の有効化処理を行う。点検情報登録部２５は、この点検終了作業時に作業端末から送信される画像を点検情報データベース３９に保存する。なお、点検情報データベース３９には、点検対象設備を構成する機器ごとに実施すべき点検項目と点検要領とが記述された点検内容情報も格納される。また、設備情報データベース３７、設備契約データベース３８、点検情報データベース３９に格納されている情報は、設備ＩＤにより相互に紐付けられているものとする。
【００３２】
実施の形態１にかかる設備点検支援システム１では、作業者による設備点検作業をシステムを利用して行うことで作業ミスを低減する。そこで、以下では、設備点検支援システム１の機能のうち設備点検管理機能を特に説明する。設備点検管理機能には、設備登録機能と、点検支援機能の２つの機能が含まれる。そこで、まず、設備登録機能について説明する。
【００３３】
設備登録機能は、点検業者が利用する機能で有り、点検対象の設備に関する情報を設備点検支援システム１に登録するものである。この設備登録機能では、ユーザーインタフェース画面により設備及び設備を構成する機器の情報を登録する。そこで、設備登録を行う歳に点検業者が入力する情報について説明する。図４に、実施の形態１にかかる設備点検支援システムにおける設備登録時の入力項目の例を説明する表を示す。なお設備登録処理は、主に契約者設備登録処理部２４が行う。
【００３４】
図４に示す例では、必須の入力項目として、「設備登録ＩＤ」、「設備ＩＤ」、「郵便番号・所在地」、「発電事業者」、「契約状態」がある。「設備登録ＩＤ」は、設備点検支援システム１を管理するシステム管理者から発行される設備を特定するためのＩＤである。「設備ＩＤ」は、経済産業局から発行される認可書に記載の設備ＩＤである。契約者設備登録処理部２４は、この設備ＩＤが入力された際に、事業者ＤＢを参照し、設備ＩＤに対応した登録があれば当該登録から設備の設置場所を示す「郵便番号・所在地」及び「発電事業者」の項目を自動的に設定する。なお、「発電事業者」は、太陽光発電設備の所有者であり、点検業者に設備点検を依頼している者である。
【００３５】
「契約状態」は、設備点検契約の現状を入力する項目であり、見積、注文、工事契約締結済み、メンテナンス契約済み等の内容を設定する項目である。なお、この契約状態が、未記入である場合、点検業者としてではなく、一般ユーザーとして認識される。
【００３６】
また、その他の項目について説明する。「発電設備区分」は、本例では、太陽光発電設備が予め固定値として設定される。「設備名称」は、点検業者が点検対象設備を識別するために任意に入力する項目である。「発電出力」は、太陽光発電設備の発電能力の目安であり、例えば、経済産業局に届け出ている届出書に記載の発電出力が入力される項目である。
【００３７】
「保守点検責任者」は、点検業者が指定する点検作業の責任者の氏名が入力される項目である。「認定日」は、発電設備の稼働開始日である運転開始年月日が入力される項目である。「設備状態」は、点検対象設備の現在の設置状態等を記入する項目であり、所有、造り替え、廃棄等が入力される項目である。なお、状態を廃棄とする場合は、廃棄理由を記入することが好ましい。
【００３８】
「電力会社関連文書」は、契約者と電力会社との間でやり取りされる文書を登録する項目である。この電力会社関連文書は、設備契約データベース３８に登録される。「経済産業局関連文書」は、経済産業局の認可を受けた際に作成した文書等を登録する項目である。経済産業局関連文書は、設備契約データベース３８に登録される。「工事図面」は、設備設置時、或いは、設備の初期確認時に作成した現場図面、配線図等を登録する項目である。工事図面は、設備契約データベース３８に登録される。「契約書類」は、契約者との間にやり取りした見積書、注文書、契約書等の文書ファイル、契約単価、契約日、契約者等の契約情報、及び、その他の文書を登録する項目である。契約書類は、契約書類情報データベース３５に登録される。
【００３９】
続いて、実施の形態１にかかる設備点検支援システム１では、点検作業で利用する設備構成を登録する。太陽光発電設備では、認可を受けた設備と実際に設置されている設備との間にズレが生じていることがある。そのため、点検作業を行う際には実際の設備に基づく構成図面が必要となる。そこで、契約者設備登録処理部２４により提供される設備構成登録画面の一例を図５に示す。図５は、実施の形態１にかかる設備点検支援システム１における設備構成登録時の入力項目の例を説明する入力画面例である。
【００４０】
図５に示す例では、設備構成登録を行う入力画面では、設備に用いられる機器の数量を入力する数量入力欄４０〜４３、４４ａ〜４４ｂが提示される。図５に示す例では、分電盤、パワーコンディショナ、接続箱、ストリングス、パネルに関する入力欄が提示される。分電盤は、設備を系統配線に接続するために用いられる機器である。パワーコンディショナは、太陽光発電パネルで生成される直流電力を交流電力に変換する機器である。接続箱は、複数のストリングを束ねてパワーコンディショナに接続する機器である。ストリングスは、複数の太陽光パネルを直列に接続し、管理するための機器である。パネルは、太陽光パネルである。
【００４１】
そして、契約者設備登録処理部２４は、入力欄に２以上の数字が入力された場合、その下に記載される機器に関する入力欄の個数を増加させる。図５に示す例では、ストリングスの数量入力欄４３に「４」が入力されているため、ストリングスに接続されるパネルの入力欄が４つ設けられる（図５の数量入力欄４４ａ〜４４ｄ）。
【００４２】
また、契約者設備登録処理部２４は、入力欄に入力された数字に基づき、図５の下部に示した設備配線図を自動的に生成する。図５に示す設備配線図の例では、上段の機器の個数に合わせて、分電盤シンボル５０、パワーコンディショナーシンボル５１、接続箱シンボル５２、ストリングシンボル５３ａ〜５３ｄ、パネルシンボル５４ａ〜５４ｄが示される。なお、シンボル間の接続関係は、機器毎に規定されているため、契約者設備登録処理部２４が自動的に構築する。
【００４３】
また、図５に示すように、設備構成登録画面には、キャンセルボタン４５及び登録ボタン４６が設けられる。利用者がキャンセルボタン４５を選択することで、設備構成登録処理は中断される。一方、利用者が登録ボタン４６を選択することで、設備構成登録処理は完了する。
【００４４】
また、設備構成登録処理では、機器毎に設備機器に関する情報を登録することができる。これは、図５の設備配線図上のシンボルを選択することで、呼び出される機器毎の情報入力画面で登録を行う。そこで、図６に実施の形態１にかかる設備点検支援システムにおける設備登録時の機器毎の入力項目の例を説明する表を示す。
【００４５】
図６に示す例では、自動的に機器に関連した固定値が入力される項目として、「設備登録ＩＤ」、「機器ＩＤ」、「接続元の機器ＩＤ」、「点検方法」が設定される。「設備登録ＩＤ」は、図４で説明した項目を引用して設定される。「機器ＩＤ」は、経済産業局への認可文書中に記載された機器毎に割り当てられたＩＤである。「接続元の機器ＩＤ」は図５の設備配線図の作成で用いられる情報で機器毎に接続先の機器のＩＤが設定される。「点検方法」は、機器毎に検査しなければならない項目が法律的に規定されているため、これら法定点検項目を登録したマスタ情報から引用して設定される。
【００４６】
「機器名称」は、分電盤、パワーコンディショナ、配線等の機器の種類に合わせた名称を入力する項目である。「摘要」は、機器に関する重要事項を入力するメモ欄である。「機器情報」は、機器の製品名称、形式、製造番号、メーカー等を入力する項目である。「個数」は、図５の入力欄に記入した数字が自動的に入力される。「単位」は、機器を数える際の単位を指定する入力項目である。「設置位置・方角」は、太陽光パネルの設置方位と角度を入力する項目である。「備考」は、雑多な情報を記入するメモ欄である。
【００４７】
図４から図６で説明した内容を登録することで設備機器登録処理は完了する。そして、点検作業をする場合には、特に図４で作成した設備配線図及び図６で決定された点検項目を参照して、点検作業者用の点検結果入力画面を構成する。そして、作業者は点検結果入力画面の指示に従って点検の実施を行うとともに、点検結果の入力を行う。そこで、以下で、実施の形態１にかかる設備点検支援システム１を用いた点検作業について説明する。
【００４８】
まず、図７に実施の形態１にかかる設備点検支援システムを用いた作業手順を説明するフローチャートを示す。図７に示した処理は、点検作業者が保守点検工程管理サーバー１０で生成された作業画面を作業端末（例えば、保守管理端末１３）で表示して行う処理を示したものである。
【００４９】
点検作業では、点検作業者が作業端末を用いて保守点検工程管理サーバー１０へのログイン処理を行う（ステップＳ１１）。そして、ログインＩＤが正規の点検作業者であることが確認された事に応じて、ステップＳ１３〜Ｓ２６の点検処理を行う（ステップＳ１２）。このステップＳ１２において、正規の点検作業者以外の者のログインＩＤであることが判明した場合、保守点検工程管理サーバー１０はログインを拒否して、要求された処理を終了する。
【００５０】
ステップＳ１２において正規の作業者と判断された場合、保守点検工程管理サーバー１０は、点検作業者用トップ画面を作業者端末に表示させる（ステップＳ１３）。そして、この作業者用トップ画面上に設けられた点検終了ボタン６５が選択された場合、設備点検支援システム１は、ユーザーインタフェース画面生成部２１により生成した点検終了作業入力画面を表示する（ステップＳ１４、Ｓ２１）。ステップＳ２１以降の処理は作業完了判断処理となるが、この作業完了判断処理の詳細は後述する。一方、点検終了ボタンが選択されず、点検作業者用トップ画面の機器のシンボルが選択された場合、作業端末から保守点検工程管理サーバー１０に設備点検入力要求が送信される。そして、保守点検工程管理サーバー１０は、設備点検入力要求を受信したことに応じて設備点検入力画面を作業端末に表示させる（ステップＳ１５、Ｓ１６）。この設備点検入力画面は、ユーザーインタフェース画面生成部２１が設備情報データベース３７、点検情報データベース３９に格納されている情報を用いて生成する。
【００５１】
続いて、点検作業者は、作業端末に表示された作業画面（例えば、設備点検入力画面）に点検結果と、点検終了報告の為の画像と、を入力する（ステップＳ１７、Ｓ１８）。そして、点検作業者は、設備点検入力画面に表示された点検項目のうち必要な項目の全ての点検項目についての点検項目の結果と画像の入力が完了したことに応じて、戻るボタンを選択して、設備点検トップ画面に作業画面を戻す（ステップＳ１７〜Ｓ１９）。
【００５２】
実施の形態１にかかる設備点検支援システム１では、ステップＳ１４において点検終了ボタンが選択された場合、点検終了作業を行う。そこで、この点検終了作業時の処理フローについて説明する。図７に示すように、点検終了作業では、ステップＳ２１にて点検終了作業画面を作業端末に表示する。そして、ユーザーインタフェース画面生成部２１は、点検作業終了入力画面の初期画面として、作業終了時点検項目の最初の項目を有効化した点検終了作業入力画面を生成する（ステップＳ２２、Ｓ２３）。その後、点検終了作業入力画面中の戻るボタンが選択されるまで、点検項目を予め決定された順序で１つずつ有効化していきながら、作業者に完了報告画像を順次入力させる（ステップＳ２３〜Ｓ２７）。この完了報告画像は、保守点検工程管理サーバー１０の点検情報データベース３９に保存される。このとき、点検作業中に、例えば、戻るボタン８０が選択され、他の作業が発生した場合（ステップＳ２４のＹＥＳの枝）、設備点検支援システム１は、それまで入力された完了報告画像を全てクリアして、再度、１番目の項目から完了報告画像の登録を点検作業者に求める。そして、全ての点検終了作業項目に画像が登録されたことに応じて、設備点検支援システム１は、点検作業が終了したと判断する。
【００５３】
ここで、ステップＳ１３で表示する作業者用トップ画面について説明する。図８に実施の形態１にかかる設備点検支援システムを用いた点検作業時にアクセスする作業画面のうち点検作業者用トップ画面の一例を説明する図を示す。
【００５４】
図８に示す例では、点検作業者用トップ画面に、図５で説明した設備配線図と、参照ボタン６０、日付入力ボックス６１、点検開始ボタン６２、凡例６３ａ〜６３ｃ、印刷ボタン６４、点検終了ボタン６５が表示される。また、点検作業者用トップ画面には、設備番号、設備ＩＤ、設備名称等が表示される。
【００５５】
参照ボタン６０は、前回の点検結果を参照するためのボタンである。点検開始ボタン６２は、このボタンを選択することで日付入力ボックス６１に新しい点検日を示す日付入力ボックス６１に本日の日付が入力される。凡例６３ａ〜６３ｃは、設備配線図に示されるシンボルに対応する機器の検査実施状況の表示が意味することを説明するためのものである。印刷ボタン６４は、このボタンを選択することで点検結果を印刷するためのものである。点検終了ボタン６５は、点検対象設備に対する点検作業を終了する場合に選択するボタンであり、点検対象設備を原状復帰させるための作業を行う点検終了作業を行う際に選択するものである。
【００５６】
また、図８に示す例では、分電盤シンボル５０、パワーコンディショナーシンボル５１が点検合格の状態を示し、接続箱シンボル５２、ストリングシンボル５３ａ〜５３ｄ、パネルシンボル５４ａ〜５４ｄが点検未実施の状態を示す。点検作業者は、点検対象の機器のシンボルを選択することで、各機器の設備点検入力画面を表示する。このシンボルを選択する処理により、図７のステップＳ１４で示す設備点検入力要求が保守管理端末１３から保守点検工程管理サーバー１０に送信される。そして、作業端末上で機器のシンボルが選択された事に応じて、保守点検工程管理サーバー１０のユーザーインタフェース画面生成部２１は、選択されたシンボルに対応する点検結果入力画面の画面データを生成して作業端末に送信する。
【００５７】
続いて、図９に実施の形態１にかかる設備点検支援システムを用いた点検作業時にアクセスする作業画面のうち設備の点検項目及び入力欄を含む設備点検入力画面の一例を説明する図を示す。図９に示す例は、パワーコンディショナに関する設備点検入力画面の例である。
【００５８】
図９に示す例では、設備点検入力画面の上側に点検対象機器を特定するための情報が表示される。また、点検結果を入力する表の上側には、目視項目チェックボタン７０が配置される。この目視項目チェックボタン７０は、点検方法として目視が指定されている点検項目について全ての項目を合格（ＯＫ）とするボタンである。また、戻るボタン７１は、点検対象機器の点検を終了する場合、或いは、点検作業を他の機器に変更する場合に、作業端末に表示する画面を点検作業者用トップ画面に戻すためのボタンである。
【００５９】
そして、図９に示すように、設備点検入力画面には、点検対象機器に対応した項目の一覧と、項目毎の点検結果入力インタフェースが設けられる。図９に示す例では、点検項目欄７２に「目視」、「計測」等の点検方法と、どのような点検を行うかを示す点検要領が点検項目として記載される。また、点検項目毎に、点検合格チェックボックス欄７３、点検不合格チェックボックス欄７４、点検除外ボチェックボタン欄７５、点検メモ欄７６が設けられる。点検合格チェックボックス欄７３、点検不合格チェックボックス欄７４は、点検結果に基づきいずれかのチェックボックスをチェックする形式となっている。また、点検除外ボチェックボタン欄７５は、点検項目のうち点検する対象がない、或いは、今回の点検作業では点検対象から除外可能な項目についてチェックするチェックボックが割り当てられる欄である。
【００６０】
また、点検メモ欄７６には、コメント記入欄７７、点検報告画像７８、画像選択ボタン７９が設けられる。点検作業者は、点検状況をコメント記入欄７７に点検したときの状況を示すコメントの記入することが好ましいが、コメント記入欄７７は未記入でも構わない。点検報告画像７８は、画像選択ボタン７９を用いて選択した点検結果報告画像のサムネイルを表示する領域である。この点検報告画像７８は、コメントを記入する代わりになる画像、あるいは、測定結果のグラフ等の文字以外の情報である。点検報告画像の保守点検工程管理サーバー１０へのアップロードは、設備点検終了後に一括して行ってもよく、画像を選択する度に行ってもよい。そして、実施の形態１にかかる設備点検支援システム１では、図９に示した点検作業フローに従って得られた点検結果を点検情報登録部２５により点検情報データベース３９に格納する。
【００６１】
続いて、点検終了作業時に作業端末に表示される点検終了作業入力画面について説明する。図１０に実施の形態１にかかる設備点検支援システムを用いた点検作業の終了時にアクセスする点検作業終了入力画面の一例を説明する図を示す。図１０に示すように、点検終了作業入力画面では、上側に点検対象施設を特定するための情報が表示される。また、点検結果を入力する表の上側には、戻るボタン８０が配置される。この戻るボタン８０は、点検終了作業とは異なる点検作業をする場合に、作業端末に表示する画面を点検作業者用トップ画面に戻すためのボタンである。
【００６２】
そして、図１０に示すように、点検終了作業入力画面には、点検対象機器に対応した終了作業内容を示す項目と、項目毎の完了報告画像の入力インタフェースが設けられる。図１０に示す例では、終了作業内容欄８２に点検終了作業の内容が記載される。また、点検項目毎に、画像入力欄８３が設けられる。画像入力欄８３には、完了報告画像８４、画像選択ボタン８５が設けられる。点検作業者は、画像選択ボタン８５を選択して、表示される画像選択画面から完了報告画像となる画像を選択する。これにより、画像選択ボタン８５に完了報告画像のサムネイル画像が表示される。完了報告画像の保守点検工程管理サーバー１０へのアップロードは、点検終了作業の終了後に一括して行ってもよく、画像を選択する度に行ってもよい。そして、実施の形態１にかかる設備点検支援システム１では、図１０に示した点検終了作業フローに従って得られた画像を点検情報登録部２５により点検情報データベース３９に格納する。
【００６３】
上記説明より、実施の形態１にかかる設備点検支援システム１では、保守点検工程管理サーバー１０に搭載された点検支援プログラムにより、点検対象設備に紐付けられた点検項目を保守点検工程管理サーバー１０が利用するデータベースから読み出して作業手順の指示と点検結果の入力欄とを少なくとも含む作業画面を生成する画面生成処理と、入力欄への入力結果を受信して、データベースに保存する点検結果受信処理と、点検対象設備に対する点検作業を終了する際に、点検対象設備を構成する機器毎に設定された終了作業が完了したことを示す完了報告画像が、予め設定された順序で全て入力されたことに応じて、点検作業が終了したことを記録する作業完了判断処理と、を行う。また、作業完了判断処理中に、入力欄への入力処理が発生した場合には完了報告画像の入力を予め設定された順序の最初から再度入力させる。
【００６４】
上記構成を有することにより、実施の形態１にかかる設備点検支援システム１では、点検項目の全てについての点検内容についての点検を点検作業者に確実に実施させることができるため、点検漏れを防止することが出来る。また、実施の形態１にかかる設備点検支援システム１では、点検終了作業については、機器毎に点検状態から稼働状態に戻すための作業が点検要領として記載される。この点検終了作業を点検項目の１つに加え、かつ、確実に実施させることで、機器を点検状態から稼働状態に戻す作業が見落とされることを防止することができる。これにより、実施の形態１にかかる設備点検支援システム１では、点検漏れの防止、及び、点検作業ミスの低減を実現することができる。
【００６５】
実施の形態２
実施の形態２では、保守点検工程管理サーバー１０の別の形態となる保守点検工程管理サーバー１０ａについて説明する。そこで、図１１に実施の形態２にかかる保守点検工程管理サーバー１０ａのブロック図を示す。なお、実施の形態２の説明において、実施の形態１で説明した構成要素と同じ構成要素については、実施の形態１と同じ符号を付して説明を省略する。
【００６６】
図１１に示すように、実施の形態２にかかる保守点検工程管理サーバー１０ａは、実施の形態１にかかる設備点検支援システム１に設備利用統計算出部（例えば、発電量統計算出部９１）を追加したものである。実施の形態２にかかる保守点検工程管理サーバー１０ａでは、点検業者又は一般ユーザーが点検対象設備（例えば、自身が管理する太陽光発電設備）の利用実績を示す利用実績情報（発電量情報）が別途、設備情報データベース３７に格納される。そして、発電量統計算出部９１は、設備情報データベース３７に格納された発電量情報を用いた設備利用統計情報を生成する設備利用統計算出処理を行う。
【００６７】
また、発電量統計算出部９１は、利用者からの指示に基づき、統計情報を生成する設備の範囲を変更する。例えば、自設備と自設備の近隣に設置された設備との発電量の比較を行う場合、発電量統計算出部９１は、利用者が登録した発電量情報の量に応じて、比較できる発電設備の設置地域、或いは、比較対象とする設備の数を増減させる。より具体的には、発電量統計算出部９１は、発電量情報を設備情報データベース３７に登録する利用者毎の発電量情報の蓄積量の増加に応じて、利用者に提示する設備利用統計情報に含まれる情報の範囲を拡大させる。
【００６８】
上記説明より、実施の形態２にかかる保守点検工程管理サーバー１０ａを用いることで、自設備の発電量の統計情報のみならず、自設備と比較可能な他の設備との発電量比較を行うことができる。また、発電量等の統計情報の比較処理を行うことで、自設備の異常を発見することができる。
【００６９】
実施の形態３
実施の形態３では、保守点検工程管理サーバー１０の別の形態となる保守点検工程管理サーバー１０ｂについて説明する。そこで、図１２に実施の形態２にかかる保守点検工程管理サーバー１０ｂのブロック図を示す。なお、実施の形態３の説明において、実施の形態１で説明した構成要素と同じ構成要素については、実施の形態１と同じ符号を付して説明を省略する。
【００７０】
図１２に示すように、実施の形態３にかかる保守点検工程管理サーバー１０ｂは、実施の形態１にかかる保守点検工程管理サーバー１０にＱＲコード生成部９２を追加したものである。ＱＲコード生成部９２は、点検業者からのＱＲコード生成要求に基づき、点検対象設備毎に点検対象設備に対応した作業画面のアクセス先を示すＱＲコード（登録商標）を生成するＱＲコード生成処理を行う。そして、点検業者は、ＱＲコード生成部９２により生成されたＱＲコードを印刷して、点検対象設備に貼り付ける、或いは、点検時に点検対象設備に点検作業者に渡す等する。
【００７１】
上記説明より、実施の形態３にかかる保守点検工程管理サーバー１０ｂを用いてＱＲコードを生成する事で、点検作業者は、ＱＲコードから点検対象設備に対応した作業画面に容易にアクセスすることが可能になる。
【００７２】
なお、本発明は上記実施の形態に限られたものではなく、趣旨を逸脱しない範囲で適宜変更することが可能である。
【符号の説明】
【００７３】
１  設備点検支援システム
１０  保守点検工程管理サーバー
１１〜１４  保守管理端末
２０  ユーザーインタフェース画面送受信部
２１  ユーザーインタフェース画面生成部
２２  入力受付部
２３  利用者管理部
２４  契約者設備登録処理部
２５  点検情報登録部
３０  ユーザーインタフェース画面データベース
３１  事業者データベース
３２  システム管理者データベース
３３  点検業者情報データベース
３４  契約者情報データベース
３５  契約書類情報データベース
３６ａ  作業者情報データベース
３６ｂ  一般ユーザーデータベース
３７  設備情報データベース
３８  設備契約データベース
３９  点検情報データベース
４０〜４３、４４ａ〜４４ｄ  数量入力欄
４５  キャンセルボタン
４６  登録ボタン
５０  分電盤シンボル
５１  パワーコンディショナーシンボル
５２  接続箱シンボル
５３ａ〜５３ｄ  ストリングシンボル
５４ａ〜５４ｄ  パネルシンボル
６０  参照ボタン
６１  日付入力ボックス
６２  点検開始ボタン
６３  凡例
６４  印刷ボタン
６５  点検終了ボタン
７０  目視項目チェックボタン
７１  戻るボタン
７２  点検項目欄
７３  点検合格チェックボックス欄
７４  点検不合格チェックボックス欄
７５  点検除外ボチェックボタン欄
７６  点検メモ欄
７７  コメント記入欄
７８  点検報告画像
７９  画像選択ボタン
８０  戻るボタン
８１  点検終了ボタン
８２  終了作業内容欄
８３  画像入力欄
８４  完了報告画像
８５  画像選択ボタン
９１  発電量統計算出部
９２  ＱＲコード生成部
【図１】
2020095493.tif 000003
【図２】
2020095493.tif 000004
【図３】
2020095493.tif 000005
【図４】
2020095493.tif 000006
【図５】
2020095493.tif 000007
【図６】
2020095493.tif 000008
【図７】
2020095493.tif 000009
【図８】
2020095493.tif 000010
【図９】
2020095493.tif 000011
【図１０】
2020095493.tif 000012
【図１１】
2020095493.tif 000013
【図１２】
2020095493.tif 000014